(57)【要約】【課題】固定フード部が成形により一体的に形成された構成において、雄ネジ部を高精度に成形することが容易であって、しかも、竿本体への取付作業も容易な釣竿用リールシート及び釣竿を提供する。【解決手段】筒状のリールシート本体１は、脚支持面部１０の少なくとも一部と固定フード部２２とが一つの部材を構成すべく成形により一体的に形成されたフード筒体２と、成形により形成されてその外周面に雄ネジ部３１が形成されたネジ筒体３とが、別部材の分割構成とされ、且つ、リールシート本体１は、フード筒体２とネジ筒体３を連結するための連結パイプ４を備えている。【選択図】図４
2015006151.tif 000002
【特許請求の範囲】
【請求項１】
竿本体に外装される筒状のリールシート本体を備え、該リールシート本体は、リール脚を支持するための脚支持面部と、リール脚の一端部を覆うための固定フード部と、リール脚の他端部を覆うための可動フード体を竿軸方向にスライド移動させるためのナットが螺合可能な雄ネジ部とを備えている釣竿用リールシートであって、
リールシート本体は、脚支持面部の少なくとも一部と固定フード部とが一つの部材を構成すべく成形により一体的に形成されたフード筒体と、成形により形成されてその外周面に雄ネジ部が形成されたネジ筒体とが、別部材の分割構成とされ、
且つ、リールシート本体は、フード筒体とネジ筒体を連結するための連結部を備えていることを特徴とする釣竿用リールシート。
【請求項２】
連結部は筒状の連結用内筒部であって、
該連結用内筒部はネジ筒体の内側に所定長さ挿入されて内外重ね合わせられる請求項１記載の釣竿用リールシート。
【請求項３】
ネジ筒体は、フード筒体とは反対側に位置して外周面に雄ネジ部が形成されたネジ領域と、フード筒体側に位置して外周面に雄ネジ部が形成されていない非ネジ領域とに区画され、連結用内筒部はネジ領域の内側に進入することなく非ネジ領域の内側に重なり合う請求項２記載の釣竿用リールシート。
【請求項４】
連結用内筒部とネジ筒体には、ネジ筒体の内側において互いの周方向の位置決めを行うべく竿軸方向に係合する位置決め用係合部がそれぞれ形成されている請求項２又は３記載の釣竿用リールシート。
【請求項５】
ネジ筒体の内周面は、フード筒体とは反対側に位置する小径部と、フード筒体側に位置して小径部よりも大径に形成された大径部とから構成され、連結用内筒部の位置決め用係合部は凹状であってネジ筒体の位置決め用係合部は凸状であり、小径部の全周のうちの一部を大径部側に延長することによりネジ筒体の位置決め用係合部が形成されている請求項４記載の釣竿用リールシート。
【請求項６】
連結部は筒状の連結用内筒部であって、
該連結用内筒部はフード筒体の内側に所定長さ挿入されて内外重ね合わせられる請求項１記載の釣竿用リールシート。
【請求項７】
連結用内筒部とフード筒体には、フード筒体の内側において互いの周方向の位置決めを行うべく竿軸方向に係合する位置決め用係合部がそれぞれ形成されている請求項６記載の釣竿用リールシート。
【請求項８】
フード筒体における脚支持面部には内外方向に貫通する貫通孔が形成され、該貫通孔を介して連結用内筒部が表出する請求項６又は７記載の釣竿用リールシート。
【請求項９】
リールシート本体は、フード筒体及びネジ筒体とは別部材として構成された連結部としての連結パイプを備え、該連結パイプの一端側所定領域がフード筒体の内側に挿入されて内外重ね合わせられると共に連結パイプの他端側所定領域がネジ筒体の内側に挿入されて内外重ね合わせられることにより、フード筒体とネジ筒体が連結パイプを介して連結され、該連結状態において連結パイプの外周面の一部が外部に表出する請求項１記載の釣竿用リールシート。
【請求項１０】
連結状態において、フード筒体とネジ筒体は互いに竿軸方向に離間してその間の間隙から連結パイプが表出する請求項９記載の釣竿用リールシート。
【請求項１１】
請求項１乃至１０の何れかに記載の釣竿用リールシートを備えた釣竿。
【発明の詳細な説明】
【技術分野】
【０００１】
本発明は、釣竿にリールを固定するための釣竿用リールシートとそれを備えた釣竿に関する。
【背景技術】
【０００２】
釣竿にリールを固定するための筒状の釣竿用リールシートとしては、例えば下記特許文献１のように、竿本体に外装される筒状のリールシート本体と、該リールシート本体に竿軸方向にスライド移動可能に外装される筒状の可動フード体と、該可動フード体をスライド移動させるためのナットとを備えている。リールシート本体には、リール脚を内側から支持するための脚支持面部と、リール脚の一端部を保持するための固定フード部と、ナットが螺合される雄ネジ部が形成されている。固定フード部はリールシート本体の一端部側に形成され、雄ネジ部はリールシート本体の他端部側の外周面に形成されており、ナットを回転操作して可動フード体を固定フード部に接近させると、リール脚が固定フード部と可動フード体によって竿軸方向に狭持され、これによりリールが釣竿に固定される。ナットを逆方向に回転操作すると、固定フード部から可動フード体が離反し、リールを釣竿から取り外すことができる。
【０００３】
かかるリールシート本体は合成樹脂から成形により形成される。従って、固定フード部は脚支持面部と一体構成であって、また雄ネジ部とも一体構成である。しかしながら、リールシート本体において固定フード部の近傍の部分は相対的に厚肉となる一方、雄ネジ部が形成された領域は相対的に薄肉であり、一つの部材であるリールシート本体の中でも部位によって肉厚に大きな差が生じることになる。そのため、相対的に薄肉部である雄ネジ部が形成された領域にソリや変形が生じやすく、雄ネジ部を高い寸法精度で成形することが困難であって、成形不良が生じやすいのである。雄ネジ部の寸法精度が良くないと、ナットの回転にガタツキやムラが生じて良好な操作フィールが得られなかったり、また、ナットによる可動フード体の締め付け力が不安定になったりする。
【０００４】
これに対して、下記特許文献２では、リールシート本体を竿軸方向の前後二分割とする構成が提案されている。該構成では、前側の部材に固定フード部を形成し、後側の部材に雄ネジ部を形成しているので、一つの部品における肉厚差を抑制でき、雄ネジ部の寸法精度が安定しやすいという利点がある。しかしながら、竿本体（ブランク）の外周面上で前後二つの部材を位置決めしながら竿本体の外周面に接着固定する必要があるので、リールシート本体の竿本体への取付作業が困難であり、また、前後二つの部材間の位置ずれ、特には周方向の位置ずれが生じやすい。また、前側の部材の後端面と後側の部材の前端面とを突き合わせるようにして竿本体の外周面に接着固定するので、前後両部材の接合面間から接着剤が外側にはみ出しやすく、はみ出した接着剤の除去作業も必要になる。
【０００５】
一方、固定フード部を成形により一体的に形成するのではなく、別部材の筒状の構成としてリールシート本体に外装固定するという構成もある。このように固定フード部を別体構成とすれば固定フード部近傍の偏肉を抑制しやくなる。しかしながら、固定フード部はリール脚を固定するための重要な部位であるうえにリール脚を固定することによってそのリール脚から大きな反力をを受ける部位でもあるので、しっかりと安定的にリール脚を保持し固定するためにはやはり別部材とするのではなく、脚支持面部と固定フード部とが成形によって一体的に形成された構成が望ましい。また、別体構成の場合には、長期の使用によって、固定フード部にガタツキが生じる可能性もある。
【先行技術文献】
【特許文献】
【０００６】
【特許文献１】特開２０１１−１０５９２号公報
【特許文献２】実用新案登録第２５３０３１１号公報
【発明の概要】
【発明が解決しようとする課題】
【０００７】
そこで本発明は、固定フード部が成形により一体的に形成された構成において、雄ネジ部を高精度に成形することが容易であって、しかも、竿本体への取付作業も容易な釣竿用リールシート及び釣竿を提供することを課題としている。
【課題を解決するための手段】
【０００８】
本発明は上記課題を解決すべくなされたものであって、本発明に係る釣竿用リールシートは、竿本体に外装される筒状のリールシート本体を備え、該リールシート本体は、リール脚を支持するための脚支持面部と、リール脚の一端部を覆うための固定フード部と、リール脚の他端部を覆うための可動フード体を竿軸方向にスライド移動させるためのナットが螺合可能な雄ネジ部とを備えている釣竿用リールシートであって、リールシート本体は、脚支持面部の少なくとも一部と固定フード部とが一つの部材を構成すべく成形により一体的に形成されたフード筒体と、成形により形成されてその外周面に雄ネジ部が形成されたネジ筒体とが、別部材の分割構成とされ、且つ、リールシート本体は、フード筒体とネジ筒体を連結するための連結部を備えていることを特徴とする。
【０００９】
該構成の釣竿用リールシートにあっては、固定フード部を有するフード筒体と雄ネジ部を有するネジ筒体とが別部材の構成とされているので、ネジ筒体における肉厚差を小さくすることが容易であってネジ筒体を高精度に成形することができる。また、フード筒体において固定フード部と脚支持面部の少なくとも一部が成形により一体的に形成されているので、固定フード部の内側に差し込まれたリール脚の一端部を脚支持面部と共にしっかりと安定して保持することができる。そして、リールシート本体がフード筒体とネジ筒体とを連結するための連結部を備えているので、フード筒体とネジ筒体を連結部によって予め連結させておくことができ、連結された状態のフード体とネジ筒体を竿本体に外装することができる。即ち、フード体とネジ筒体とが別部材とされた分割構成であっても、リールシート本体が一つの部材からなる一体構成の場合と同様に容易に竿本体にリールシートを外装することができる。また、竿本体に装着する前に予めフード体とネジ筒体を連結部で連結させておくことができるので、フード体とネジ筒体との間の竿軸方向の位置決めや周方向の位置決めを容易且つ正確に行うことができる。
【００１０】
特に、連結部は筒状の連結用内筒部であって、該連結用内筒部はネジ筒体の内側に所定長さ挿入されて内外重ね合わせられることが好ましい。筒状の連結用内筒部をネジ筒体の内側に挿入させて連結用内筒部とネジ筒体とを内外重ね合わせる構成とすると、リールシート本体を竿本体に接着固定するための接着剤が、ネジ筒体のフード筒体側の端部から外側に実質上はみ出さなくなるので、その箇所における接着剤の除去作業が不要になり、リールシートの竿本体への取付作業が容易になる。尚、この場合、連結用内筒部はフード筒体の一部を構成すべく成形により一体的に形成された構成であってもよいし、ネジ筒体とは別部材の構成とされていてもよい。
【００１１】
更に、ネジ筒体は、フード筒体とは反対側に位置して外周面に雄ネジ部が形成されたネジ領域と、フード筒体側に位置して外周面に雄ネジ部が形成されていない非ネジ領域とに区画され、連結用内筒部はネジ領域の内側に進入することなく非ネジ領域の内側に重なり合うことが好ましい。非ネジ領域には雄ネジ部が形成されていないので、雄ネジ部のネジ山の高さ分だけネジ領域に比して肉厚には余裕がある。従って、ネジ領域の内側まで連結用内筒部を進入させることなく、非ネジ領域の内側に連結用内筒部を重ね合わせることで、ネジ筒体の肉厚を全体として薄肉化することができ、ネジ筒体を容易に小径化することができる。
【００１２】
また、連結用内筒部とネジ筒体には、ネジ筒体の内側において互いの周方向の位置決めを行うべく竿軸方向に係合する位置決め用係合部がそれぞれ形成されていることが好ましい。連結用内筒部とネジ筒体に位置決め用係合部が形成されているので、連結用内筒部とネジ筒体との間の周方向の位置決めを容易に行うことができ、従って、フード筒体とネジ筒体との間の周方向の位置決めを容易に行うことができる。そして、ネジ筒体に対して連結用内筒部が周方向に位置ずれすることも確実に防止され、ネジ筒体と連結用内筒部との間の周方向の固定力を強化することができる。しかも、ネジ筒体の位置決め用係合部はネジ筒体の内側に形成されていて連結用内筒部の位置決め用係合部とネジ筒体の内側において係合するので、位置決め用係合部が外部に露出せず、良好な外観デザインが得られる。
【００１３】
その場合特に、ネジ筒体の内周面は、フード筒体とは反対側に位置する小径部と、フード筒体側に位置して小径部よりも大径に形成された大径部とから構成され、連結用内筒部の位置決め用係合部は凹状であってネジ筒体の位置決め用係合部は凸状であり、小径部の全周のうちの一部を大径部側に延長することによりネジ筒体の位置決め用係合部が形成されていることが好ましい。ネジ筒体の内周面の小径部と大径部との間の径差を利用してネジ筒体の位置決め用係合部を形成することにより、容易にネジ筒体の位置決め用係合部を形成できる。
【００１４】
一方、連結部は筒状の連結用内筒部であって、該連結用内筒部はフード筒体の内側に所定長さ挿入されて内外重ね合わせられることもまた好ましい。この構成では、フード筒体のネジ筒体側の端部から接着剤が外側に実質上はみ出さなくなるので、その箇所における接着剤の除去作業が不要になり、竿本体への取付作業が容易になる。尚、この場合、連結用内筒部はネジ筒体の一部を構成すべく成形により一体的に形成された構成であってもよいし、ネジ筒体とは別部材の構成とされていてもよい。
【００１５】
また、連結用内筒部とフード筒体には、フード筒体の内側において互いの周方向の位置決めを行うべく竿軸方向に係合する位置決め用係合部がそれぞれ形成されていることも好ましい。連結用内筒部とフード筒体に位置決め用係合部が形成されているので、連結用内筒部とフード筒体との間の周方向の位置決めを容易に行うことができ、従って、フード筒体とネジ筒体との間の周方向の位置決めを容易に行うことができる。そして、フード筒体に対して連結用内筒部が周方向に位置ずれすることも確実に防止され、フード筒体と連結用内筒部との間の周方向の固定力を強化することができる。しかも、フード筒体の位置決め用係合部はフード筒体の内側に形成されていて連結用内筒部の位置決め用係合部とフード筒体の内側において係合するので、位置決め用係合部が外部に露出せず、良好な外観デザインが得られる。
【００１６】
特に、フード筒体における脚支持面部には内外方向に貫通する貫通孔が形成され、該貫通孔を介して連結用内筒部が表出することが好ましい。例えば連結用内筒部の材質をフード筒体のそれとは異なるものとしたり、連結用内筒部の外周面の色や表面粗さ、質感等をフード筒体の脚支持面部のそれらとは異なるものとすれば、貫通孔を介して材質等の異なる連結用内筒部が表出することで、フード筒体と連結用内筒部とが別部材であるという特性を効果的に利用した良好なデザインが得られる。
【００１７】
また一方、リールシート本体は、フード筒体及びネジ筒体とは別部材として構成された連結部としての連結パイプを備え、該連結パイプの一端側所定領域がフード筒体の内側に挿入されて内外重ね合わせられると共に連結パイプの他端側所定領域がネジ筒体の内側に挿入されて内外重ね合わせられることにより、フード筒体とネジ筒体が連結パイプを介して連結され、該連結状態において連結パイプの外周面の一部が外部に表出することも好ましい。このように別部材として連結パイプを備える場合においては、その連結パイプをフード筒体やネジ筒体とは異なる材質としたり、外周面の色や表面粗さ、質感等を異なるものとすることができ、連結状態で連結パイプの外周面の一部を外部に表出させることで、別部材構成の連結パイプをデザインとしても有効に活用することができる。
【００１８】
その場合特に、連結状態において、フード筒体とネジ筒体は互いに竿軸方向に離間してその間の間隙から連結パイプが表出することが好ましい。その連結状態において、フード筒体とネジ筒体との間の間隙から連結パイプが表出することで、別部材構成の連結パイプをデザインとしても有効に活用することができ、特に、フード筒体とネジ筒体が別部材の分割構成であるという構成上の特徴がデザイン的にも強調されることになり、良好なデザインを容易に得ることができる。尚、フード筒体の内周面とネジ筒体の内周面のうち少なくとも一方には連結パイプの挿入停止位置を定めるべく連結パイプの所定箇所が当接するストッパー部が形成されていることが好ましく、ストッパー部を設けることにより連結パイプとフード筒体あるいはネジ筒体との間の竿軸方向の位置決めが容易となる。
【００１９】
尚、連結パイプは径一定のストレートパイプであることが好ましく、汎用のパイプを使用することも可能となって製造コストを容易に削減できる。また、カーボンプリプレグ等の各種の強化繊維プリプレグを筒状に焼成したものも使用でき、例えば、他の釣竿用のブランクを流用することもできる。
【００２０】
また、本発明に係る釣竿は上記釣竿用リールシートを備えたものである。
【発明の効果】
【００２１】
以上のように、ネジ筒体をフード筒体とは別部材の構成とすることで、雄ネジ部を高精度に成形することが容易になり、滑らかなナットの回転操作フィールやしっかりとした締め付け力が得られる。また、リールシート本体の連結部によってフード筒体とネジ筒体とを竿本体への装着前に予め連結させておくことができるので、竿本体への取付作業も容易になる。
【図面の簡単な説明】
【００２２】
【図１】本発明の一実施形態における釣竿用リールシートのリールシート本体を示す側面図。
【図２】同リールシート本体の正面図。
【図３】同リールシート本体の断面図。
【図４】同リールシート本体の分解構成図。
【図５】同リールシート本体の構成部材である連結パイプを示す背面図。
【図６】同リールシート本体の構成部材であるフード筒体を示し、（ａ）は正面図、（ｂ）は断面図。
【図７】同フード筒体を示し、（ａ）は竿軸方向一端部側から見た図、（ｂ）は（ａ）のＡ−Ａ要部断面図。
【図８】同リールシート本体の構成部材であるネジ筒体を示し、（ａ）は、側面から見た断面図、（ｂ）は正面から見た断面図。
【図９】（ａ）及び（ｂ）は同リールシート本体の組み立て工程の一例を示す断面図。
【図１０】本発明の他の実施形態に係る釣竿用リールシートのリールシート本体に使用される連結パイプを示す背面図。
【発明を実施するための形態】
【００２３】
以下、本発明の一実施形態に係る釣竿用リールシートについて図１乃至図９を参酌しつつ説明する。釣竿用リールシート（以下、単に「リールシート」という。）は、釣竿にリールを固定するためのものであって、図示しない釣竿の竿本体（ブランク）に装着されて使用される。該リールシートは、いわゆるパイプシートとも称され、全体として筒状のものであって竿本体に外装される。具体的には、リールシートは竿本体の外周面に接着により固定される。
【００２４】
本実施形態におけるリールシートは主として両軸リールを取り付けるためのものであって、使用状態ではリールが釣竿の上側に位置する。従って、リール脚９０が載置されてそのリール脚９０を内側（リール脚９０の裏側）から支持する脚支持面部１０は、使用状態において上向きとなる。尚、周方向のうち脚支持面部１０が存在している側を正面側とし、それとは反対側を背面側とする。
【００２５】
リールシートは、竿本体に外装されてその内周面が竿本体の外周面に接着固定される筒状のリールシート本体１と、該リールシート本体１に外装されて竿軸方向にスライド移動可能な図示しない筒状の可動フード体と、該可動フード体をスライド移動させるための図示しないナットとを備えている。リールシート本体１の竿軸方向一端側の所定箇所にはリール脚９０の一端部９０ａを保持するための固定フード部２２が形成されており、リールシート本体１の竿軸方向他端側の外周面にはナットが螺合するための雄ネジ部３１が形成されている。尚、リールシートを竿本体に装着する前後の向きは任意であるが、本実施形態では、竿軸方向一端側が竿尻側となり、竿軸方向他端側が竿先側となるようにして竿本体に装着される。従って、固定フード部２２が竿尻側に位置し、可動フード体及びナットが竿先側に位置することになる。以下の説明では、説明の都合上、竿軸方向一端側を後側、竿軸方向他端側を前側として説明する。
【００２６】
可動フード体は、リール脚９０の他端部９０ｂを外側から覆ってそれを保持するためのものであって、固定フード部２２と可動フード体は脚支持面部１０の竿軸方向の両側、即ち前後両側に対峙する。可動フード体は、ナットの後側に位置していてナットに相対回転可能に係止され、リールシート本体１のスライド溝３４に竿軸方向にスライド可能に係合している。ナットを回転させると可動フード体は回転することなくナットと共に竿軸方向に移動する。従って、ナットを一方向に回転させて可動フード体を後側に移動させて固定フード部２２に接近させると、リール脚９０の両端部９０ａ，９０ｂは固定フード部２２と可動フード体によって竿軸方向に狭持されると共に脚支持面部１０に押し付けられて固定される。逆に、ナットを他方向に回転させて可動フード体を前側に移動させて固定フード部２２から離すと、リール脚９０の固定状態が解除されてリールを釣竿から取り外すことができる。
【００２７】
また、リールシート本体１の後部外周面には径一定のストレート部２３が形成されており、該ストレート部２３の外側には、図３に二点鎖線で示す如く、発泡ＥＶＡ等のグリップ用素材からなるシートグリップ５が装着固定される。尚、シートグリップ５の背面には径方向外側に突出したトリガ５ａが形成されており、該トリガ５ａの前側に例えば人差し指を引っ掛けるようにしてシートグリップ５を把持することができる。
【００２８】
リールシート本体１は、図４に示しているように、三つの部材から構成されている。即ち、フード筒体２と、ネジ筒体３と、フード筒体２とネジ筒体３とを竿軸方向に連結するための連結パイプ４とから構成されている。尚、図１、図２、図４において、連結パイプ４の外周面には多数のドットを付して表している。
【００２９】
連結パイプ４は、図５のように薄肉の径一定のストレートパイプであって、その長さはリールシート本体１の内周面の全長よりも短い。従って、連結パイプ４の内周面はリールシート本体１の内周面の全長のうちの一部を構成する。また、本実施形態においてはリールシート本体１の内周面を竿本体の外周面にスペーサを介することなく直接接着固定するため、連結パイプ４の内径は竿本体の外径に略等しい。
【００３０】
連結パイプ４の両端部にはそれぞれ位置決め用係合部としての切欠部４０が形成されている。該切欠部４０は、連結パイプ４の端部における周方向の所定箇所を肉厚全体を切り欠くようにして形成されている。即ち、切欠部４０は、連結パイプ４の端面に開口し、その連結パイプ４の端面から竿軸方向に所定長さ延びている。切欠部４０の形状は例えば矩形であって、特には竿軸方向に長い長方形である。この切欠部４０が両端部にそれぞれ一箇所ずつ形成され、両端部の切欠部４０は互いに周方向の同一箇所（同一直線上）に位置している。かかる連結パイプ４は、切欠部４０が背面側となるようにして組み立てられる。
【００３１】
連結パイプ４の材質は任意であって種々の汎用品を流用することも可能であるが、フード筒体２やネジ筒体３に使用されている材質とは異なる材質のものを使用したり、少なくとも外周面がフード筒体２やネジ筒体３と異なる色や表面粗さ、素材感であったりすることが好ましい。本実施形態では、竿本体と同様にカーボンプリプレグ等の各種の強化繊維プリプレグから筒状に加熱焼成されたものを所定長さにカットして使用している。
【００３２】
フード筒体２は、合成樹脂から成形により形成された成形品であって、両端開口の筒状である。正面側にはリール脚９０を内側から支持する脚支持面部１０の主要部２０が形成されている。尚、フード筒体２に脚支持面部１０の全体を形成するようにしてもよいが、本実施形態では脚支持面部１０の大部分を形成するようにしていて、脚支持面部１０の残る残部３０についてはネジ筒体３に形成するようにしている。そして、脚支持面部１０には内外方向に貫通する貫通孔２１が形成されており、該貫通孔２１は竿軸方向に長い形状となっている。
【００３３】
該脚支持面部１０の主要部２０の後側には固定フード部２２が一体的に形成されており、固定フード部２２とその内側に位置する脚支持面部１０の主要部２０とから、前側に開口する開口部が形成され、該開口部からリール脚９０の一端部９０ａが後側に向けて挿入される。また、フード筒体２の後部外周面には上述した径一定のストレート部２３が形成されている。該ストレート部２３の竿軸方向の長さは、正面側において短く背面側において長い。
【００３４】
フード筒体２の内周面は、全長に亘って径一定であって竿本体の外周面よりも大きく、具体的には連結パイプ４の略肉厚分だけ大きい。即ち、フード筒体２の内側には全長に亘って連結パイプ４が挿入されて内外重なり合った二重構造とされる。
【００３５】
フード筒体２の内周面には位置決め用係合部としての係合凸部２４が形成されている。該係合凸部２４は、連結パイプ４とフード筒体２との周方向の位置決めを行うためのものであって、連結パイプ４の切欠部４０と竿軸方向に係合するものである。具体的には、係合凸部２４はフード筒体２の内周面の後端部に形成されており、連結パイプ４の切欠部４０を埋めるようにそれに対応した形状とされていて、フード筒体２の後端から前側に向けて竿軸方向に所定長さ延びて形成されている。該係合凸部２４はフード筒体２の内周面に径方向内側に向けて所定厚さで突出している。係合凸部２４の突出量（厚さ）は、連結パイプ４の肉厚と略等しいか、あるいは、その肉厚よりも小さくするが、連結パイプ４の肉厚と略等しくすることが好ましい。連結パイプ４の肉厚と略等しくする場合には、係合凸部２４の先端面を連結パイプ４の内周面の一部を構成すべく周方向に湾曲した曲面とすることが好ましい。係合凸部２４の形成箇所は周方向の何れの箇所であってもよくその個数も任意でよいが、本実施形態では背面側の位置に一箇所形成されており、固定フード部２２や脚支持面部１０が形成された角度位置とは１８０度反対側の角度位置に位置している。
【００３６】
連結パイプ４はフード筒体２に前側から挿入される。そして、連結パイプ４の一端がフード筒体２の後端と略一致するまで挿入される。連結パイプ４はフード筒体２の全長よりも長く、従って、連結パイプ４の他端側所定領域（前部）がフード筒体２から前側に突出した状態となる。連結パイプ４の挿入停止位置は、連結パイプ４の一端がフード筒体２の後端と一致する位置としてもよいし、連結パイプ４の切欠部４０の奥側の壁面がフード筒体２の係合凸部２４の前端の壁面に当接する位置としてもよい。前者の場合、例えば、ストッパー用の別途の部材を準備して、その部材にフード筒体２の後端を当接させ、更に連結パイプ４の一端がその部材に当接するまで挿入する。後者の場合、フード筒体２の係合凸部２４に連結パイプ４の切欠部４０の奥側の壁面が当接するまで連結パイプ４を挿入することになる。従って、後者の場合には、フード筒体２の係合凸部２４が、連結パイプ４の挿入停止位置を定めるべく連結パイプ４の所定箇所が当接するストッパー部としても機能する。
【００３７】
ネジ筒体３は、フード筒体２とは別部材の構成であって、合成樹脂から成形により形成された成形品であり、両端開口の筒状である。ネジ筒体３は、外周面に雄ネジ部３１が形成されたネジ領域３２と雄ネジ部３１が形成されていない非ネジ領域３３とに区画され、フード筒体２とは反対側である前側に非ネジ領域３３が形成され、フード筒体２側である後側にネジ領域３２が形成されている。ネジ領域３２はネジ筒体３の半分以上の長さを占める主要部分である。
【００３８】
ネジ領域３２には、雄ネジ部３１を部分的に切り欠くようにしてスライド溝３４が竿軸方向に直線状に延びて形成されている。該スライド溝３４の数や配置は任意であるが、本実施形態では周方向に９０度毎に合計四箇所形成されており、正面、背面、及び両側面の合計四箇所である。四本のスライド溝３４のうち一本は長く、他の三本は同一長さである。即ち、四本のスライド溝３４は何れもネジ領域３２の全長に亘って形成されているが、そのうちの三本のスライド溝３４ａは、ネジ領域３２の後端部（非ネジ領域３３側の端部）で止まっており、従って、その長さはネジ領域３２の全長と同じである。残る一本のスライド溝３４ｂは、ネジ領域３２を越えて非ネジ領域３３の竿軸方向中途部まで所定長さ延設されており、従ってその延設長さ分だけ他の三本のスライド溝３４ａよりも長くなっている。そして、その長いスライド溝３４ｂは背面に位置している。このように背面のスライド溝３４ｂを後側に向けて長く延ばして形成することにより、可動フード体の背面側の竿軸方向の寸法を正面側の竿軸方向の寸法よりも後側（固定フード部２２側）に向けて長く形成することができる。
【００３９】
非ネジ領域３３の外周面は径一定に形成されている。尚、非ネジ領域３３の前端部は竿軸方向に対して直交しているが、非ネジ領域３３の後端部、即ち、ネジ筒体３の後端の開口端面は竿軸方向に対して直交しておらず周方向に沿って竿軸方向に凹凸を有する形状となっている。より詳細には、ネジ筒体３の後端の開口端面は、正面及び背面においてそれぞれ凹状となっていて、正面及び背面から両側面に向かって徐々に凸状となっている。尚、ネジ筒体３の後端の開口端面における正面の凹形状は、図２のように、フード筒体２の脚支持面部１０の主要部２０が前側に向けて突出しているその凸形状を受け入れることができるようにその凸形状に対応した凹形状とされている。尚、ネジ筒体３の後端の開口端面において両側面の部分を後側に向けて突出させることにより、正面及び背面を凹形状としても、連結パイプ４との重合長さを確保することができる。また、非ネジ領域３３の正面側の一部分が脚支持面部１０の残部３０を構成する。従って、脚支持面部１０はフード筒体２の主要部２０とネジ筒体３の非ネジ領域３３の正面に位置する残部３０とから構成される。但し、このように脚支持面部１０がフード筒体２とネジ筒体３とに分割された構成とするのではなく、フード筒体２のみに設けられる構成としてもよい。
【００４０】
また、ネジ筒体３の内周面は径一定ではなく相対的に径の小さい小径部３５と相対的に径の大きい大径部３６とを有している。小径部３５は前側にあって、該小径部３５よりも大径である大径部３６は後側にある。小径部３５と大径部３６との間には段差部３７が形成されている。小径部３５はネジ筒体３の内周面の半分以上の長さを有しており、残りの部分が大径部３６となっている。より詳細には、小径部３５は少なくともネジ領域３２の全長に亘って形成されており、本実施形態ではネジ領域３２の全長よりも若干長く、非ネジ領域３３側に僅かに延長されて形成されている。従って、大径部３６は非ネジ領域３３の全長よりも僅かに短い。
【００４１】
そして、小径部３５と大径部３６との間の段差部３７によって、大径部３６は小径部３５に対して一段大径となっており、その大径部３６に連結パイプ４が挿入される。従って、大径部３６は連結パイプ４の外径と略同一径であり、また、小径部３５と大径部３６との間の径差である段差部３７は、連結パイプ４の肉厚と略等しい。即ち、小径部３５は竿本体の外径と略同一径であり、連結パイプ４の内径と小径部３５とは略同一径となっていて、連結パイプ４が大径部３６に挿入されると、連結パイプ４の内周面と小径部３５とが略面一となって一つの連続した内周面を構成する。換言すれば、ネジ筒体３の小径部３５はリールシート本体１の内周面の一部を構成し、ネジ筒体３の小径部３５と連結パイプ４の内周面とからリールシート本体１の内周面が構成されることになる。尚、連結パイプ４の端部が段差部３７に当接することによりそれ以上の連結パイプ４の進入が阻止されることになる。従って、段差部３７は、連結パイプ４の挿入停止位置を定めるためのストッパー部として機能する。
【００４２】
また、ネジ筒体３の内周面にも位置決め用係合部としての係合凸部３８が形成されている。該係合凸部３８は、連結パイプ４とネジ筒体３との周方向の位置決めを行うためのものであって、連結パイプ４の切欠部４０と竿軸方向に係合するものである。係合凸部３８の形状については上述したフード筒体２の係合凸部２４と同様であって、その突出量及び先端面の形状についても同様である。かかるネジ筒体３の係合凸部３８は、連結パイプ４の切欠部４０に対応して一箇所形成されており、具体的には、背面に一箇所形成されている。また、係合凸部３８は小径部３５と大径部３６との間の段差部３７から大径部３６側に向けて延設されており、小径部３５の全周のうちの一部を大径部３６側に延長することにより形成されている。従って、係合凸部３８の先端面と小径部３５の内周面は連続している。
【００４３】
尚、上述したように背面のスライド溝３４ｂは、ネジ領域３２を越えて非ネジ領域３３の竿軸方向中途部まで延設されているが、該背面のスライド溝３４ｂは係合凸部３８に対応した外周面の位置に形成されている。係合凸部３８を形成することによってその部分における肉厚は局所的に大きくなる。この局所的に肉厚となる部分を利用して、その外周面の位置に背面のスライド溝３４ｂを形成して、その背面のスライド溝３４ｂを非ネジ領域３３側に延長している。従って、係合凸部３８の幅（周方向の長さ）は背面のスライド溝３４ｂの幅よりも幅広とし、そのスライド溝３４ｂの後端部は係合凸部３８の後端部よりも前側に位置させる。
【００４４】
以上のように、本実施形態におけるリールシート本体１は３ピース構造となっているのであるが、竿本体に装着する前にそれらを予め組み立てておくことができる。即ち、連結パイプ４をフード筒体２とネジ筒体３のうちの何れか一方に挿入し合体させた上で、連結パイプ４の突出する部分を他方に挿入するのであり、フード筒体２とネジ筒体３のうちの何れを先に連結パイプ４と合体させるかは任意であるが、一例としてフード筒体２と連結パイプ４を先に合体させる場合について説明する。まず、図９（ａ）のように、フード筒体２の他端側である前側から連結パイプ４の一端側をフード筒体２の内側に挿入させる。その場合、連結パイプ４の切欠部４０が背面側となるようにして挿入させて、その切欠部４０をフード筒体２の係合凸部２４に係合させる。これにより、フード筒体２と連結パイプ４との間の周方向の位置決めを行うことができる。フード筒体２と連結パイプ４は接着剤によって固定する。
【００４５】
このようにフード筒体２に連結パイプ４を合体させると、連結パイプ４の他端側所定領域がフード筒体２から前側に突出することになる。そこで次に、図９（ｂ）のように、フード筒体２から前側に突出している連結パイプ４の他端側所定領域をネジ筒体３の後端開口から挿入して両者を合体させる。その際、連結パイプ４の切欠部４０をネジ筒体３の係合凸部３８に係合させることにより、ネジ筒体３と連結パイプ４との間の周方向の位置決めを行うことができると同時に、連結パイプ４を介してフード筒体２とネジ筒体３との間の周方向の位置決めも行うことができる。また、連結パイプ４の端部がネジ筒体３の内周面の段差部３７に当接することにより連結パイプ４はそれ以上先には進入できなくなり、連結パイプ４の挿入停止位置も自動的に定まる。尚、連結パイプ４とネジ筒体３との固定は、上述したように両面テープ等を使用した仮固定としてもよいし、接着剤等を使用した完全固定としてもよい。そして、このようにして連結一体化されたリールシート本体１に可動フード体やナット、シートグリップ５等を装着してリールシートの組み立て作業が完了する。
【００４６】
以上のように構成されたリールシートにあっては、フード筒体２とネジ筒体３とが別部材の構成であるので、ネジ筒体３における肉厚差を小さくすることができ、ネジ筒体３を高精度に成形することができる。従って、ナットを回転操作した際に良好なフィールが得られると共に、可動フード体を介してリール脚９０をしっかりと締め付け固定することができる。また、ネジ筒体３を高い精度を確保しつつ薄肉化できるので、リールシート全体を薄肉化でき、脚支持面部１０を竿本体に接近させやすくなる結果、リールと釣竿との一体感も向上する。更に、フード筒体２において固定フード部２２と脚支持面部１０の主要部２０とが成形により一体的に形成されているので、固定フード部２２が脚支持面部１０に対してぐらついたりすることがなく、固定フード部２２と脚支持面部１０とによってリール脚９０を確実に保持することができ、長期に亘って安定した保持力が維持される。
【００４７】
そして、リールシート本体１がフード筒体２とネジ筒体３とを連結するための連結パイプ４を備えているので、フード筒体２とネジ筒体３を連結パイプ４によって予め連結させておくことができ、連結された状態のフード筒体２とネジ筒体３を竿本体に一括的に外装することができる。即ち、フード体とネジ筒体３とが別部材とされた分割構成であっても、リールシート本体１が一つの部材からなる一体構成の場合と同様に容易に竿本体に外装することができる。また、竿本体に装着する前に予めフード体とネジ筒体３を連結パイプ４で連結させておくことができるので、フード体とネジ筒体３との間の竿軸方向の位置決めや周方向の位置決めを容易且つ正確に行うことができる。
【００４８】
しかも、連結パイプ４の一端側をフード筒体２の内側に所定長さ挿入して内外重ね合わせると共に、連結パイプ４の他端側をネジ筒体３の内側に所定長さ挿入する構成であるから、リールシート本体１を竿本体に接着するための接着剤がフード筒体２の前端部やネジ筒体３の後端部から外側にはみ出すということがなく、それらの箇所における接着剤の除去作業が不要になってリールシートの竿本体への取付作業が容易になる。
【００４９】
また、連結パイプ４が径一定のストレートパイプであるので、製造が容易で低コストであり、カーボンプリプレグ等の各種の強化繊維プリプレグを筒状に焼成したものも使用できる。特に、強化繊維プリプレグから形成されたものとすれば、薄肉であっても十分な強度を容易に確保することができる。また種々の汎用のパイプを使用することも可能で、例えば、他の釣竿用のブランクを所定長さにカットして流用するということもできる。
【００５０】
そして、フード筒体２の脚支持面部１０には貫通孔２１が形成されていて該貫通孔２１から連結パイプ４の外周面が表出すると共にフード筒体２とネジ筒体３との間の間隙Ｓからも連結パイプ４の外周面が表出するので、連結パイプ４の材質や外周面の色、表面粗さ、質感等をフード筒体２やネジ筒体３のそれらとは異なるものとすることで、３ピース構造という特性を活かした良好なデザインを施すことができる。
【００５１】
また更に、ネジ筒体３がネジ領域３２の後側に非ネジ領域３３を備えていて、雄ネジ部３１のネジ山の高さ分だけネジ領域３２よりも肉厚に余裕のある非ネジ領域３３の内側に連結パイプ４を重ね合わせているので、ネジ筒体３の肉厚を容易に全体として薄肉化することができ、ネジ筒体３を容易に小径化することができる。
【００５２】
また、連結パイプ４の両端に切欠部４０がそれぞれ形成されていると共に、フード筒体２の内周面とネジ筒体３の内周面にはそれぞれ係合凸部２４，３８が形成されているので、連結パイプ４とフード筒体２及びネジ筒体３との間の周方向の位置決めを容易に行うことができ、フード筒体２とネジ筒体３とが別部材の構成であっても、連結パイプ４をフード筒体２とネジ筒体３に連結させることで容易にフード筒体２とネジ筒体３との間の周方向の位置決めを行うことができる。更に、フード筒体２やネジ筒体３に対して連結パイプ４が周方向に位置ずれすることを確実に防止することができ、連結パイプ４とフード筒体２やネジ筒体３との間の周方向の固定力を強化することができる。しかも、フード筒体２及びネジ筒体３のそれぞれの内側において切欠部４０と係合凸部２４，３８が係合するので、係合凸部２４，３８が外部に露出することがなく、良好な外観デザインが得られる。また、連結パイプ４の位置決め用係合部が凸部ではなく切欠部４０であるので、その製造、加工も容易である。
【００５３】
更に、小径部３５の全周のうちの一部を大径部３６側に延長することによりネジ筒体３の係合凸部３８が形成されているので、小径部３５と大径部３６との間の径差を有効に利用して係合凸部３８を容易に形成することができる。また更に、小径部３５と大径部３６との間の段差部３７に連結パイプ４の端部が当接してそれ以上の進入が阻止されるので、連結パイプ４の挿入停止位置も自動的に定まり、組み立て作業が容易になる。
【００５４】
尚、本実施形態では、連結パイプ４の両端部に切欠部４０をそれぞれ一箇所ずつ形成したが、両端部における切欠部４０の個数は任意であって１８０度対向して二箇所ずつ形成したり、９０度毎に合計四箇所ずつ形成したりしてもよい。また、両端部の切欠部４０の個数を互いに異なる個数としてもよい。更に、両端部の切欠部４０を互いに同一線上即ち同位相に形成するのではなく、互いに周方向に位置ずれして形成するようにしてもよい。
【００５５】
また、切欠部４０の形状も種々の設計変更が可能であって、例えば図１０のように、切欠部４０が竿軸方向に延びる縦部４０ａと該縦部４０ａの奥側の端部から周方向に延びる横部４０ｂとから鍵状に構成されているものとしてもよい。その場合、フード筒体２やネジ筒体３の係合凸部２４，３８は、縦部４０ａに進入可能であって且つ横部４０ｂに周方向に沿って係合可能な形状とし、例えば、図１０に二点鎖線で示すような矩形とする。そして、フード筒体２やネジ筒体３に連結パイプ４を竿軸方向に挿入すると、フード筒体２やネジ筒体３の係合凸部２４，３８が初めに切欠部４０の縦部４０ａに進入し、その後、連結パイプ４をフード筒体２やネジ筒体３に対して相対的に周方向に回転させることで係合凸部２４，３８が切欠部４０の縦部４０ａから横部４０ｂへと進入する。このように切欠部４０が周方向に延びる横部４０ｂを有して全体として鍵状となっていれば、フード筒体２やネジ筒体３に対して連結パイプ４が竿軸方向に位置ずれすることが確実に防止され、連結パイプ４とフード筒体２やネジ筒体３との間の竿軸方向の固定力を強化することができる。尚、図１０では、連結パイプ４の両端部における切欠部４０の横部４０ｂの延設方向を互いに逆向きとしたが互いに同じ向きにしてもよい。但し、両端部の切欠部４０の形状を互いに同一にすると共に横部４０ｂの向きを互いに逆向きとすれば、連結パイプ４の両端部の何れであってもフード筒体２やネジ筒体３に挿入することができるので組み立て作業性が向上する。また、横部４０ｂの延設方向の向きは任意であるが、ナットを締め付ける際のその回転方向と同じ方向とすることが好ましい。尚、両端部の切欠部４０のうちの一方のみに横部４０ｂを形成してもよいし、両端部の切欠部４０において横部４０ｂの形状や周方向の長さを互いに異なるようにしてもよい。
【００５６】
また、フード筒体２に貫通孔２１を形成してその貫通孔２１から連結パイプ４が表出するようにしたが、貫通孔２１を設けなくてもよい。同様に、連結状態においてフード筒体２とネジ筒体３との間に間隙Ｓが形成されてその間隙Ｓから連結パイプ４の外周面が外部に表出するようにしたが、間隙Ｓが設けられない構成としてもよい。
【００５７】
また更に、連結用内筒部としてフード筒体２やネジ筒体３とは別部材の連結パイプ４を設けたが、連結用内筒部がフード筒体２あるいはネジ筒体３と成形により一体的に形成された構成としてもよい。即ち、リールシート本体１をフード筒体２とネジ筒体３と連結パイプ４とからなる３ピース構造とするのではなく、連結用内筒部を備えたフード筒体２とネジ筒体３という２ピース構造としたり、連結用内筒部を備えたネジ筒体３とフード筒体２という２ピース構造としたりしてもよい。その他、連結部として筒状の連結用内筒部とする他、各種形状、構造の連結部としてよい。何れにしてもリールシート本体１が連結部を備えることにより、予めフード筒体２とネジ筒体３を連結部によって連結させることができる。
【００５８】
尚、両軸リール（電動リールを含む）を取り付けるためのリールシートについて説明したが、スピニングリールを取り付けるためのリールシートにも適用可能である。また、フード筒体２が後側に位置し、ネジ筒体３が前側に位置する構成について説明したが、逆の配置であっても無論よい。
【符号の説明】
【００５９】
１    リールシート本体
２    フード筒体
３    ネジ筒体
４    連結パイプ
５    シートグリップ
５ａ  トリガ
１０    脚支持面部
２０    脚支持面部の主要部
２１    貫通孔
２２    固定フード部
２３    ストレート部
２４    係合凸部（位置決め用係合部）
３０    脚支持面部の残部
３１    雄ネジ部
３２    ネジ領域
３３    非ネジ領域
３４    スライド溝
３４ａ  スライド溝
３４ｂ  スライド溝
３５    小径部
３６    大径部
３７    段差部
３８    係合凸部
４０    切欠部（位置決め用係合部）
４０ａ  縦部
４０ｂ  横部
９０    リール脚
９０ａ  一端部
９０ｂ  他端部
Ｓ    間隙
【図１】
2015006151.tif 000003
【図２】
2015006151.tif 000004
【図３】
2015006151.tif 000005
【図４】
2015006151.tif 000006
【図５】
2015006151.tif 000007
【図６】
2015006151.tif 000008
【図７】
2015006151.tif 000009
【図８】
2015006151.tif 000010
【図９】
2015006151.tif 000011
【図１０】
2015006151.tif 000012